【手続補正書】
【提出日】平成20年4月8日(2008.4.8)
【手続補正１】
【補正対象書類名】特許請求の範囲
【補正対象項目名】請求項４０
【補正方法】変更
【補正の内容】
【請求項４０】
請求項３９に記載の携帯型メディアデバイスにおいて、前記視聴コンテンツが暗号化された視聴コンテンツを有し、前記携帯型メディアデバイスが、表示のために前記の暗号化された視聴コンテンツから選択され暗号化された視聴コンテンツを復号化する。
【手続補正２】
【補正対象書類名】特許請求の範囲
【補正対象項目名】請求項５１
【補正方法】変更
【補正の内容】
【請求項５１】
請求項５０に記載の携帯型メディアデバイスにおいて、前記デバイスメモリシステムが取り外し可能なメモリシステムを備える。
【手続補正３】
【補正対象書類名】特許請求の範囲
【補正対象項目名】請求項５２
【補正方法】変更
【補正の内容】
【請求項５２】
請求項５０に記載の携帯型メディアデバイスにおいて、前記デバイスメモリシステムが個人メモリデバイスを備える。
【手続補正４】
【補正対象書類名】明細書
【補正対象項目名】０１０１
【補正方法】変更
【補正の内容】
【０１０１】
図１１Ｂに転じると、取付システム７５０Ｂは、複数の逆向きの支持部材７７０Ｂと調節可能に結合された本体部材７６０Ｂを含むものとして示される。本体部材７６０Ｂは乗客用シート６００のシートバック６３０および／またはヘッドレスト６４０と結合できる。支持部材７７０Ｂは携帯型メディアデバイス１００と協働して嵌合するように構成される。図１１Ｂに示されているように、携帯型メディアデバイス１００は支持部材７７０Ｂの対の間に配設でき、この支持部材７７０Ｂは、携帯型メディアデバイス１００とシートバック６３０との間で所定視角を形成するように携帯型メディアデバイス１００と調節可能に結合できる。図１１Ｃの取付けシステム７５０Ｃは、乗客用シート６００のシートバック６３０および／またはヘッドレスト６４０を嵌合するための本体部材７６０Ｃを有する。本体部材７６０Ｃは、携帯型メディアデバイス１００のハウジングに形成される協働開口部７８０Ｃ内で受け入れ、それによって嵌合できる支持部材７７０Ｃに結合される。携帯型メディアデバイス１００は、これによって、取付けシステム７５０Ｃによって支持できる。本体部材７６０Ｃと支持部材７７０Ｃとを調節可能に結合することで、携帯型メディアデバイス１００とシートバック６３０との間に形成される所定視角が調節できるようになる。
【手続補正５】
【補正対象書類名】明細書
【補正対象項目名】０１４４
【補正方法】変更
【補正の内容】
【０１４４】
上記で論じたように、各携帯型メディアデバイス１００の過去の記録を更新できるデバイス管理データベースシステム８５０にコンテンツ情報が供給できるように、コンテナ識別システム９５４はデバイス管理インターフェイス８３０と通信できる。コンテナ識別システム９５４は、デバイスコンテナ９５０に対して、すなわち携帯型メディアデバイス１００に対して一連の保護を与えるために、デバイス管理インターフェイス８３０により走査され得る。例えば、デバイスコンテナ９５０が検査されてシールされたとき、デバイスコンテナ９５０が（図１６Ａで示されている）地上サポートステーション９２０Ａ−Ｎを離れたとき、デバイスコンテナ９５０が航空機５００Ｂ’に供給され、乗せられたとき、デバイス管理インターフェイス８３０は、出荷のデバイスコンテナ９５０のコンテナ識別システム９５４を走査できる。同様に、デバイスコンテナ９５０が航空機５００Ｂ’から取り出されたとき、デバイスコンテナ９５０が地上サポートステーション９２０Ａ−Ｎに到着したとき、デバイスコンテナ９５０が開かれて検査されるとき、入荷のデバイスコンテナ９５０のコンテナ識別システム９５４はデバイス管理インターフェイス８３０によって走査できる。これによって、デバイス管理システム８００は、個々の携帯型メディアデバイス１００の移送というよりも、シールされたデバイスコンテナの移送を監視できる。
【手続補正６】
【補正対象書類名】明細書
【補正対象項目名】０１６３
【補正方法】変更
【補正の内容】
【０１６３】
【図１】視聴コンテンツを表示するための携帯型メディアデバイスの一実施形態を示す代表的な最上位ブロック図である。
【図２Ａ】図１の携帯型メディアデバイスの一実施形態を示す代表的な最上位ブロック図であり、ここで、携帯型メディアデバイスはコンテンツソースから選択された視聴コンテンツを表示する。
【図２Ｂ】図２Ａの携帯型メディアデバイスの他の一実施形態を示す代表的な最上位ブロック図であり、ここで、選択された視聴コンテンツはコンテンツソースにおいて選択可能である。
【図３Ａ】図１の携帯型メディアデバイスの他の一実施形態を示す代表的なブロック図であり、ここで、携帯型メディアデバイスは携帯型メディアデバイスとコンテンツソースとの間の通信を容易にするための通信インターフェイスと、視聴コンテンツを選択し、選択された視聴コンテンツの表示を制御するための入力システムとを含む。
【図３Ｂ】図３Ａの携帯型メディアデバイスの他の一実施形態を示す代表的なブロック図であり、ここで、携帯型メディアデバイスは、同様に、選択された視聴コンテンツを保存するためのメモリシステム、および／または携帯型メディアデバイスの機能を補うための少なくとも１つの周辺システムを含む。
【図４Ａ】図３Ａ−Ｂの携帯型メディアデバイスの一実施形態の正面図を示す詳細図であり、ここで、携帯型娯楽デバイスは開位置にある。
【図４Ｂ】図４Ａの携帯型メディアデバイスの背面図を示す詳細図である。
【図４Ｃ】図４Ａ−Ｂの携帯型メディアデバイスの他の一実施形態を示す詳細図であり、ここで、携帯型娯楽デバイスは視聴サポートを含む。
【図４Ｄ】図４Ａ−Ｂの携帯型メディアデバイスのさらに他の一実施形態を示す詳細図であり、ここで、携帯型娯楽デバイスは防護カバーを含む。
【図５Ａ】図３Ａ−Ｂの携帯型メディアデバイスの他の一実施形態の正面図を示す詳細図である。
【図５Ｂ】図５Ａの携帯型メディアデバイスの他の一実施形態を示す詳細図であり、ここで、携帯型娯楽デバイスは視聴サポートを含む。
【図５Ｃ】図５Ｂの携帯型メディアデバイスの背面図を示す詳細図である。
【図６Ａ】図１の携帯型メディアデバイスのさらに他の一実施形態を示す代表的な最上位ブロック図であり、ここで、携帯型メディアデバイスは複数のコンテンツソースから選択された視聴コンテンツを表示できる。
【図６Ｂ】図１の携帯型メディアデバイスのさらに他の一実施形態を示す代表的な最上位ブロック図であり、ここで、複数の携帯型メディアデバイスは選択されたコンテンツソースと通信するように構成される。
【図７】図１の携帯型メディアデバイスのさらに他の一実施形態を示す代表的なブロック図であり、ここで、複数の携帯型メディアデバイスはコンテンツ配信システムを通して複数のコンテンツソースと通信するように構成される。
【図８Ａ】図７の複数の携帯型メディアデバイスの他の一実施形態を示す詳細図であり、ここで、複数の携帯型メディアデバイスと複数のコンテンツソースとは自動車と関連付けられた乗物情報システムを構成する。
【図８Ｂ】図８Ａの乗物情報システムの他の一実施形態を示す詳細図であり、ここで、乗物情報システムは航空機と関連付けられる。
【図９Ａ】図８Ａ−Ｂの乗物情報システムの他の一実施形態を示す詳細図であり、ここで、乗物情報システムは乗客シートに隣接するアクセスポイントを提供する。
【図９Ｂ】図８Ａ−Ｂの乗物情報システムのさらに他の一実施形態を示す詳細図であり、ここで、アクセスポイントは乗物の客室内で分配されている。
【図１０Ａ】図１の携帯型メディアデバイスを乗客シートのヘッドレストに取り付けるための取付システムの他の一実施形態を示す詳細図である。
【図１０Ｂ】図１の携帯型メディアデバイスを乗客シートのヘッドレストに取り付けるための取付システムの他の一実施形態を示す詳細図である。
【図１０Ｃ】図１の携帯型メディアデバイスを乗客シートのヘッドレストに取り付けるための取付システムの他の一実施形態を示す詳細図である。
【図１０Ｄ】図１の携帯型メディアデバイスを乗客シートのヘッドレストに取り付けるための取付システムの他の一実施形態を示す詳細図である。
【図１０Ｅ】図１の携帯型メディアデバイスを乗客シートのヘッドレストに取り付けるための取付システムの他の一実施形態を示す詳細図である。
【図１０Ｆ】図１の携帯型メディアデバイスを乗客シートのヘッドレストに取り付けるための取付システムの他の一実施形態を示す詳細図である。
【図１０Ｇ】図１の携帯型メディアデバイスを乗客シートのヘッドレストに取り付けるための取付システムの他の一実施形態を示す詳細図である。
【図１０Ｈ】図１の携帯型メディアデバイスを乗客シートのヘッドレストに取り付けるための取付システムの他の一実施形態を示す詳細図である。
【図１０Ｉ】図１の携帯型メディアデバイスを乗客シートのヘッドレストに取り付けるための取付システムの他の一実施形態を示す詳細図である。
【図１０Ｊ】図１の携帯型メディアデバイスを乗客シートのヘッドレストに取り付けるための取付システムの他の一実施形態を示す詳細図である。
【図１１Ａ】図１の携帯型メディアデバイスを乗客シートのシートバックに取り付けるための取付システムの他の一実施形態を示す詳細図である。
【図１１Ｂ】図１の携帯型メディアデバイスを乗客シートのシートバックに取り付けるための取付システムの他の一実施形態を示す詳細図である。
【図１１Ｃ】図１の携帯型メディアデバイスを乗客シートのシートバックに取り付けるための取付システムの他の一実施形態を示す詳細図である。
【図１１Ｄ】図１の携帯型メディアデバイスを乗客シートのシートバックに取り付けるための取付システムの他の一実施形態を示す詳細図である。
【図１１Ｅ】図１の携帯型メディアデバイスを乗客シートのシートバックに取り付けるための取付システムの他の一実施形態を示す詳細図である。
【図１１Ｆ】図１の携帯型メディアデバイスを乗客シートのシートバックに取り付けるための取付システムの他の一実施形態を示す詳細図である。
【図１２】図１の携帯型メディアデバイスのためのデバイス管理システムの一実施形態を示す代表的なブロック図であり、ここで、携帯型メディアデバイスはデバイス識別データを供給するためのデバイス識別システムを含む。
【図１３Ａ】図１２のデバイス管理システムの他の一実施形態を示す代表的なブロック図であり、ここで、デバイス管理システムは携帯型メディアデバイスに対する過去の記録を維持でき、将来の利用のために携帯型メディアデバイスを構成するための構成命令を供給できる。
【図１３Ｂ】図１３Ａのデバイス管理システムが携帯型メディアデバイスに対する過去の記録を維持でき、将来の利用のために携帯型メディアデバイスを構成するための構成命令を供給できる方法の一実施形態を示す代表的なフロー図である。
【図１４】図１３Ａ−Ｂのデバイス管理システムの他の一実施形態を示す代表的なブロック図であり、ここで、デバイス管理システムは複数の携帯型メディアデバイスを同時に処理し、各携帯型メディアデバイスに対する過去の記録を維持し、将来の利用のために各携帯型メディアデバイスを構成するための命令を供給する。
【図１５Ａ】図１４のデバイス管理システムのためのドッキングステーションの一実施形態を示す詳細図であり、ここで、ドッキングステーションは複数の携帯型メディアデバイスとインターフェイスするように構成される。
【図１５Ｂ】図１４のデバイス管理システムのためのバッテリ充電システムの一実施形態を示す詳細図であり、ここで、バッテリ充電システムは複数のバッテリシステムを同時に充電するように構成される。
【図１６Ａ】図１４のデバイス管理システムのさらに他の一実施形態を示す詳細図であり、ここで、デバイス管理システムは空港ターミナルに設置される。
【図１６Ｂ】図１６Ａのデバイス管理システムの他の一実施形態を示す詳細図であり、ここで、携帯型メディアデバイスは空港ターミナルで航空機への輸送を行うための密閉コンテナ内に梱包できる。  図は寸法を示すために描かれたものではなく、同様の構成または機能の要素は、図を通じた例示目的のために同じような参照番号によって概略が示されている点に注意するべきである。また、図は本発明の好ましい実施形態の説明を容易にすることだけを意図したものでない点に注意するべきである。図は本発明のあらゆる態様を説明するものではなく、本発明の適用範囲を制限するものでもない。